(57)【要約】【課題】舞台を直立させた壁面収納状態で底板をクライミングウォールとして活用できる様にした壁面収納舞台を提供する。【解決手段】壁Ｗに凹設された格納庫Ｈの床面ｆ上に固定脚６を直立固定し、該固定脚６の上部には、水平状態と直立状態に俯仰可能な舞台１の基端部を枢着し、舞台１の直立状態で前記壁Ｗと一様と成す舞台１の底板３は、少なくとも先端部が分割形成されると共に、舞台１の水平状態で支持脚3aとして直角に突出し、舞台１の直立状態で底板３として面一に納まる様に回動可能に設けられ、底板３の表面上には多数のクライミングホールド14を散在固着する。【選択図】図１
2018099249.tif 000002
【特許請求の範囲】
【請求項１】
壁に凹設された格納庫の床面上に固定脚を直立固定し、該固定脚の上部には、水平状態と直立状態に俯仰可能な舞台の基端部を枢着し、舞台の直立状態で前記壁と一様と成す舞台の底板は、少なくとも先端部が分割形成されると共に、舞台の水平状態で支持脚として直角に突出し、舞台の直立状態で底板として面一に納まる様に回動可能に設けられ、底板の表面上には多数のクライミングホールドを散点固着したことを特徴とする壁面収納舞台。
【発明の詳細な説明】
【技術分野】
【０００１】
本発明は、壁に凹設された格納庫に直立状態で収納される壁面収納舞台に関する。
【背景技術】
【０００２】
特許文献１には、直立状態と水平状態に俯仰可能に舞台の基端側を枢着し、舞台の直立状態で壁に凹設された格納庫に収容する様に成した壁面収納舞台が開示されている。
【０００３】
この舞台は、その内部に舞台の俯仰を支持すると共に、直立状態を保持する舞台支持装置としての多数のステイダンパと、舞台の俯仰に応じて伸縮する様に連繋した圧縮コイルバネを舞台の起き上がり方向に付勢した多数の助勢手段を設けている。
【０００４】
ステイダンパは、その一端を舞台の基端側を枢着した枢軸に回動可能に装着した取付板に連結すると共に、その他端を舞台床板を支持する根太に連結しており、舞台の直立状態ではそのロッドが押し込まれた状態となって舞台を押圧保持し、舞台の水平状態へ至る傾動中では、舞台の傾倒につれ所定群のロッドが徐々に引き出されて舞台を支持することにより、舞台の急速な倒伏を防止する様に成している。
【０００５】
助勢手段は、上記枢軸に軸着固定されたスプロケットと、牽引装置とから成り、牽引装置は、ヘッド部をスプロケットに指向する様にテール部を舞台内適所に枢着したシリンダと、シリンダ内をその長さ方向に摺動自在に配設したピストンと、ピストンとヘッド部間に介装された圧縮コイルバネと、ピストンより突設してヘッド部を貫通突出して成るロッドと、該ロッドの突出端部に一端を連結したチェーンとから成り、チェーンは、スプロケットの円周部の一部に係合巻着されると共に、他端がスプロケットに固定されている。
【０００６】
そして、上記の様に構成された助勢手段は、舞台の直立状態で、チェーンによる引張力がバネに作用しない様に設定し、舞台の水平状態で、チェーンがスプロケットに直立状態よりも長く巻き付いてロッドを引張してバネを圧縮させる様に設定し、舞台の水平状態において、舞台の使用状態に支障がない程度でバネの復元力が舞台の起き上がり方向に付勢する様に成している。
【０００７】
これにより、舞台を格納庫に直立収納する際に、舞台を少し持ち上げればコイルバネによる付勢で舞台が所定勾配まで起立回動し、その後はステイダンパによって舞台を直立させれば、格納庫内に簡単に舞台を直立収納できる。
【先行技術文献】
【特許文献】
【０００８】
【特許文献１】実公平４−２５４９７号公報
【発明の概要】
【発明が解決しようとする課題】
【０００９】
ところで、上記構成の壁面収納舞台は、壁に凹設された格納庫に収容された直立状態で舞台の底板が前記壁と同一平面上に配置されるため、その底板を前記壁面と同様な装飾が施されているに過ぎなかった。
そこで本発明では、上記の様な舞台の底板表面上に多数のクライミングホールドを散在させ、舞台を直立させた壁面収納状態で底板をクライミングウォールとして活用できる様にした壁面収納舞台を提供することを目的としている。
【課題を解決するための手段】
【００１０】
上記課題に鑑み、本発明の壁面収納舞台は、壁に凹設された格納庫の床面上に固定脚を直立固定し、該固定脚の上部には、水平状態と直立状態に俯仰可能な舞台の基端部を枢着し、舞台の直立状態で前記壁と一様と成す舞台の底板は、少なくとも先端部が分割形成されると共に、舞台の水平状態で支持脚として直角に突出し、舞台の直立状態で底板として面一に納まる様に回動可能に設けられ、底板の表面上には多数のクライミングホールドを散点固着したことを特徴とする。
【発明の効果】
【００１１】
要するに本発明は、上記構成からなるので、舞台を直立させた壁面収納状態で壁面として露出する舞台底板の表面上には、多数のクライミングホールドが散点固着されているため、その底板をクライミングウォールとして活用してフリークライミングの練習が行える等その実用的効果甚だ大である。
【図面の簡単な説明】
【００１２】
【図１】舞台を直立させた壁面収納状態を示す正面図である。
【図２】同上底板及び側板を省略した舞台内部を示す右半分の正面図である。
【図３】同上側面図である。
【図４】同上縦断面図である。
【図５】同上支持脚を突出させた状態の縦断面図である。
【図６】舞台の断面図である。
【発明を実施するための形態】
【００１３】
以下本発明の実施の一形態例を図面に基づいて説明する。
本発明に係る壁面収納舞台（以下、単に舞台とも称する。）１は、基端部を水平状態と直立状態に俯仰可能に枢着し、舞台設置室Ｒの壁Ｗに凹設された格納庫Ｈに直立状態で収納可能に設けられている。
【００１４】
舞台１は、これの水平状態で水平配置される床板２と、舞台１の直立状態で壁Ｗと一様と成す底板３とを同一面積に形成して平行配置し、該底板３と床板２の左右側縁間に細長帯状の側板４を、先端間には細長帯状の蹴込板５を夫々架設し、扁平箱型に形成している。
尚、舞台１は左右対称構造であり、その内部を示す図２は右側のみを表している。
【００１５】
格納庫Ｈの床面ｆ上には、横手（左右）方向に複数の固定脚６を直立固定し、該固定脚６の上部には、床板２裏面に固定脚６に対応して複数平行配置した前後方向に長い根太７の基端部を枢着し、これにより舞台１を俯仰可能と成す様に舞台１の基端部が枢着されることとなる。
尚、左右側縁の固定脚６の正面間には、左右方向に長い帯状の幕板6aを架設している。
【００１６】
又、左右側方で平行な２本の根太７の中間に架設される桟木８（図２において右側のみを示す。）には、左右側縁の根太７及び側板４を貫通して、側板４外面より出没自在な錠杆9aを有する舞台直立保持装置としての丸落とし錠９を設け、該丸落とし錠９の錠杆9a先端が挿脱される丸穴状の錠受け10を格納庫Ｈの側壁H1に設けている。
【００１７】
底板３は、少なくとも先端部（図示例では先端部と中央部の２箇所）が分割形成されると共に、舞台１の水平状態で横幅が底板３と同幅なパネル状の支持脚3aとして直角に突出し、舞台１の直立状態で底板３の一部として面一に納まる（同一平面上に配置される）様に回動可能に設けられている。
【００１８】
支持脚3aは、基端部裏面が根太７の適所に設けたヒンジ部を以て枢着され、支持脚3aと床板２の裏面適所の夫々に複数設けたブラケット間にロッド11ａが伸縮自在なダンパー11を架設しており、支持脚3aの先端部裏面の複数箇所には突出長さが調節自在な接地部12を設けている。
【００１９】
又、底板３において中央の支持脚3aを起曲させた部位には、舞台１内部に通じる連通口13が開口して成り、該連通口13の近傍の舞台１内側に丸落とし錠９が配置される様に設定している。
【００２０】
そして、底板３の表面上には各種形状の多数のクライミングホールド14を散点固着している。
尚、説明の便宜上、図１以外の図面中ではクライミングホールド14を省略している。
【００２１】
又、本実施例の舞台１にも、上記特許文献１と同様に、その内部に図示しない舞台支持装置としての多数のステイダンパと、多数の助勢手段を設けても良い。
【００２２】
上記の様に構成された舞台１は、格納庫Ｈに収納された直立状態では、底板３はその表面が壁Ｗと同一平面上に配置される様に露出し、底板３の表面上にはクライミングホールド14が散在しており、底板３をクライミングウォールとして活用してフリークライミングの練習が行える。
【００２３】
この舞台１の直立状態では、丸落とし錠９の錠杆9aが側板４外面より突出してその先端が格納庫Ｈの側壁H1に設けた錠受け10に挿入されており、舞台１の直立状態が保持され、倒伏防止されているため、安全にフリークライミングできる。
【００２４】
そして、格納状態の舞台１を舞台に変形させるには、先ず底板３に一体化している支持脚３を底板３に対し起曲する様に直角に突出させる。
【００２５】
次いで、連通口13を通して丸落とし錠９を操作して先端が錠受け10に挿入されている錠杆9aを舞台１内部に没入させ、直立状態の舞台１の倒伏防止状態を解除する。
【００２６】
この後に舞台１を倒伏回動させて支持脚3a先端より突出する接地部12を床面ｆ上に接地させることにより、床板２を上層に水平配置した舞台を構成する。
【００２７】
図６において、水平状態に倒伏させた舞台１の底板３には、図示しないクライミングホールド14が突出しているが、支持脚3aを介して舞台１は水平配置されているので、床面ｆにクライミングホールド14が接触することはない。
【００２８】
又、舞台１を格納するには、逆の手順にて舞台１を起立回動し、丸落とし錠９の錠杆9aを錠受け10に挿入し、支持脚3aを底板３と一体化する様に復位することで成し得る。
【符号の説明】
【００２９】
１  舞台
３  底板
3a  支持脚
６  固定脚
14  クライミングホールド
ｆ  床面
Ｈ  格納庫
Ｗ  壁
【図１】
2018099249.tif 000003
【図２】
2018099249.tif 000004
【図３】
2018099249.tif 000005
【図４】
2018099249.tif 000006
【図５】
2018099249.tif 000007
【図６】
2018099249.tif 000008